(57)【要約】【課題】  複数の周波数帯域を利用して行われる放送の全てのチャンネルを良好に受信できる特性を備えたイヤホンアンテナ及びこれを用いる携帯型受信機を提供する。【解決手段】  レシーバ１とコネクタ９とが接続され、コネクタ９がイヤホンジャックへ挿入されるとアンテナとして作用するイヤホンアンテナであって、ケーブルは、同軸ケーブル２〜５を直列に連結してなるとともに、最もコネクタ９側の同軸ケーブル５は、外部導体がグランドに接続されており、各同軸ケーブル同士の連結箇所には、イヤホンジャックを備えた装置からコネクタ９を介して供給される切換制御信号に応じて、レシーバ１側の同軸ケーブルの外部導体又は内部導体の一方とレシーバ１側の同軸ケーブルの外部導体とを接続する接続切換部６〜８が設けられている。【選択図】  図１
2005333459.tif 000002
【特許請求の範囲】
【請求項１】
レシーバとコネクタとがケーブルで接続され、前記コネクタがイヤホンジャックへ挿入されるとアンテナとして作用するイヤホンアンテナであって、
前記ケーブルは、少なくとも三つの同軸ケーブルを直列に連結してなるとともに、最も前記コネクタ側の同軸ケーブルは、外部導体がグランドに接続されており、
前記各同軸ケーブル同士の連結箇所には、前記イヤホンジャックを備えた装置から前記コネクタを介して供給される切換制御信号に応じて、レシーバ側の同軸ケーブルの外部導体又は内部導体の一方とレシーバ側の同軸ケーブルの外部導体とを接続する接続切換部が設けられていることを特徴とするイヤホンアンテナ。
【請求項２】
前記各接続切換部が、切換スイッチで構成されたことを特徴とする請求項１記載のイヤホンアンテナ。
【請求項３】
前記各接続切換部が、
前記レシーバ側及び前記コネクタ側の各同軸ケーブルの外部導体同士を接続する第１の配線と、
前記レシーバ側及び前記コネクタ側の各同軸ケーブルの内部導体同士を接続する第２の配線と、
前記第１の配線の前記レシーバに最も近い箇所とグランドとの間に配置された第１のインダクタと、
前記第１の配線の前記第１のインダクタの接続箇所よりも前記コネクタ側と、前記第２の配線の前記レシーバに最も近い箇所との間に、前記第２の配線側から前記第１の配線側を順方向として配置された第１のＰＩＮダイオードと、
前記第１の配線の前記第１のＰＩＮダイオードの接続箇所よりも前記コネクタ側に、前記コネクタ側から前記レシーバ側を順方向として配置された第２のＰＩＮダイオードと、
前記第２の配線の前記第１のＰＩＮダイオードの接続箇所よりも前記コネクタ側と前記切換制御信号の伝送路との間に配置された第２のインダクタと、
前記第１の配線の前記第２のＰＩＮダイオードよりも前記コネクタ側と前記切換制御信号の伝送路との間に配置されたインバータ及び第３のインダクタと、
前記第１の配線の前記コネクタに最も近い箇所に配置された第１のキャパシタと、
前記第２の配線の前記コネクタに最も近い箇所に配置された第２のキャパシタとからなることを特徴とする請求項１記載のイヤホンアンテナ。
【請求項４】
前記第１、第２及び第３のインダクタは、受信対象周波数の電磁波を遮断し、前記第１及び第２のコンデンサは、受信対象周波数の電磁波を透過することを特徴とする請求項３記載のイヤホンアンテナ。
【請求項５】
請求項１から４のいずれか１項記載のイヤホンアンテナを用いる携帯型受信機であって、
前記各接続切換部に前記切換制御信号を出力することで、前記外部導体がグランドへ接続されている同軸ケーブルが前記コネクタ側からいくつ連続するかを変化させて前記イヤホンアンテナの受信対象周波数を変更することを特徴とする携帯型受信機。
【請求項６】
前記イヤホンアンテナを用いてアナログテレビ放送波を受信することを特徴とする請求項５記載の携帯型受信機。
【発明の詳細な説明】
【技術分野】
【０００１】
本発明は、広帯域に亘る複数のチャンネルによる放送を受信するためのイヤホンアンテナに関し、特に、広帯域に亘って良好な受信特性が得られるイヤホンアンテナに関する。
【背景技術】
【０００２】
日本国内におけるアナログテレビ放送は、図９に示すように三つの周波数帯を利用して行われており、各周波数帯域には１〜３ｃｈ、４〜１２ｃｈ、１３〜６２ｃｈがそれぞれ割り当てられている。
【０００３】
上記各周波数帯域の中央付近となる１００ＭＨｚ、２００ＭＨｚ、６００ＭＨｚでエレメント長がλ／４となるアンテナを設計する場合について考える。各周波数の波長は図１０に示すようになるため、エレメント長は１００ＭＨｚでは７５ｃｍ、２００ＭＨｚでは３７．７ｃｍ、６００ＭＨｚでは１２．５ｃｍとなる。
【０００４】
ポータブルテレビやテレビチューナ付き携帯電話機（テレビ付き携帯電話機）などの携帯型テレビ受信機の場合、専用のアンテナを設けると装置の小型化・軽量化の妨げとなるため、イヤホンアンテナ（イヤホンにアンテナとしての機能を持たせたもの）を備えた装置が用いられることが多い。
イヤホンアンテナに対応した装置では、イヤホンアンテナがイヤホンジャックへ挿入されると、特許文献１に開示されるように、イヤホンアンテナのアースリードがアンテナとして作用するとともに、音声信号の出力先がスピーカからイヤホンへと切り替わるようになっている。
【０００５】
イヤホンアンテナを用いる携帯型テレビ受信機の場合、イヤホンアンテナのエレメント長を変えることはできないため、エレメント長が固定のイヤホンアンテナで全周波数帯域の放送を受信しなければならない。
例えば、エレメント長を３７．５ｃｍ、つまり２００ＭＨｚ付近に合わせてアンテナを設計し、このエレメント長のアンテナで全周波数帯域の特性をカバーする必要がある。この場合には、図８に示すように、エレメント長が適当では無い１００ＭＨｚ付近や６００ＭＨｚ付近では、アンテナの利得が劣化してしまうとういう問題があった。
【０００６】
複数の周波数帯域を利用して行われるアナログテレビ放送波の全てのチャンネルを良好に受信することを目的とする従来技術としては、特許文献２に開示される「同軸ケーブル付小型アンテナ及びそれを用いた情報端末」や特許文献３に開示される「ＶＨＦ及びＵＨＦ共用アンテナ」がある。
【０００７】
特許文献２や特許文献３に開示される発明によれば、日本国内におけるＶＨＦ放送及びＵＨＦ放送を良好に受信できる。
【特許文献１】実開平３−２７０８号公報
【特許文献２】特開２００２−２８０８１７号公報
【特許文献３】特開平６−３０３０２４号公報
【発明の開示】
【発明が解決しようとする課題】
【０００８】
しかし、上記特許文献２に開示される発明は、長尺状の誘電体基板上に設けた導体板１２及び１３でダイポールアンテナを形成するものである。すなわち、特許文献２に開示される発明は、小型アンテナに給電用の同軸ケーブルを取り付けたものであり、同軸ケーブル自体はアンテナとして機能しない。よって、特許文献２に開示される発明は、イヤホンアンテナに適用可能な構成ではない。
【０００９】
また、上記特許文献３に開示される発明は、主モノポールアンテナの中央部に共振回路を設けなければならず、さらに主モノポールアンテナと並行に副モノポールアンテナを設けなければならない。イヤホンアンテナの場合、イヤホンアンテナの場合にはアンテナが可撓性を備えていなければならないため、これと並行を維持したまま副モノポールアンテナを配置することは不可能である。すなわち、特許文献３に開示される発明は、イヤホンアンテナに適用可能な構成ではない。
【００１０】
このように、従来のイヤホンアンテナは、複数の周波数帯域を利用して行われるアナログテレビ放送の全てのチャンネルを良好に受信できる特性を備えていなかった。
【００１１】
本発明はかかる問題に鑑みてなされたものであり、複数の周波数帯域を利用して行われる放送の全てのチャンネルを良好に受信できる特性を備えたイヤホンアンテナ及びこれを用いる携帯型受信機を提供することを目的とする。
【課題を解決するための手段】
【００１２】
上記目的を達成するため、本発明は、第１の態様として、レシーバとコネクタとがケーブルで接続され、コネクタがイヤホンジャックへ挿入されるとアンテナとして作用するイヤホンアンテナであって、ケーブルは、少なくとも三つの同軸ケーブルを直列に連結してなるとともに、最もコネクタ側の同軸ケーブルは、外部導体がグランドに接続されており、各同軸ケーブル同士の連結箇所には、イヤホンジャックを備えた装置からコネクタを介して供給される切換制御信号に応じて、レシーバ側の同軸ケーブルの外部導体又は内部導体の一方とレシーバ側の同軸ケーブルの外部導体とを接続する接続切換部が設けられていることを特徴とするイヤホンアンテナを提供するものである。
【００１３】
上記本発明の第１の態様においては、各接続切換部が、切換スイッチで構成されたことが好ましい。又は、各接続切換部が、レシーバ側及びコネクタ側の各同軸ケーブルの外部導体同士を接続する第１の配線と、レシーバ側及びコネクタ側の各同軸ケーブルの内部導体同士を接続する第２の配線と、第１の配線のレシーバに最も近い箇所とグランドとの間に配置された第１のインダクタと、第１の配線の第１のインダクタの接続箇所よりもコネクタ側と、第２の配線のレシーバに最も近い箇所との間に、第２の配線側から第１の配線側を順方向として配置された第１のＰＩＮダイオードと、第１の配線の第１のＰＩＮダイオードの接続箇所よりもコネクタ側に、コネクタ側からレシーバ側を順方向として配置された第２のＰＩＮダイオードと、第２の配線の第１のＰＩＮダイオードの接続箇所よりもコネクタ側と切換制御信号の伝送路との間に配置された第２のインダクタと、第１の配線の第２のＰＩＮダイオードよりもコネクタ側と切換制御信号の伝送路との間に配置されたインバータ及び第３のインダクタと、第１の配線のコネクタに最も近い箇所に配置された第１のキャパシタと、第２の配線のコネクタに最も近い箇所に配置された第２のキャパシタとからなることが好ましく、これに加えて、第１、第２及び第３のインダクタは、受信対象周波数の電磁波を遮断し、第１及び第２のコンデンサは、受信対象周波数の電磁波を透過することが好ましい。
【００１４】
また、上記目的を達成するため、本発明は、第２の態様として、上記本発明の第１の態様のいずれかの構成にかかるイヤホンアンテナを用いる携帯型受信機であって、各接続切換部に切換制御信号を出力することで、外部導体がグランドへ接続されている同軸ケーブルがコネクタ側からいくつ連続するかを変化させてイヤホンアンテナの受信対象周波数を変更することを特徴とする携帯型受信機を提供するものである。
【００１５】
上記本発明の第２の態様においては、イヤホンアンテナを用いてアナログテレビ放送波を受信することが好ましい。
【発明の効果】
【００１６】
本発明によれば、複数の周波数帯域を利用して行われる放送の全てのチャンネルを良好に受信できる特性を備えたイヤホンアンテナ及びこれを用いる携帯型受信機を提供できる。
【発明を実施するための最良の形態】
【００１７】
〔第１の実施形態〕
本発明を好適に実施した第１の実施形態について説明する。
図１に、本実施形態にかかるイヤホンアンテナの外観を示す。イヤホンアンテナ１４は、レシーバ１とコネクタ９とが同軸ケーブル２、３、４及び５を介して接続されている。同軸ケーブル２と３との間には接続切替部６が、同軸ケーブル３と４との間には接続切替部７が、同軸ケーブル４と５との間には接続切替部８がそれぞれ設けられている。
【００１８】
同軸ケーブル２〜４の長さは、同軸ケーブル２が６００ＭＨｚの電磁波の波長λ1に対してλ1／４、同軸ケーブル２と３とをつないだ長さが２００ＭＨｚの電磁波の波長λ2に対してλ2／４、同軸ケーブル２、３及び４をつないだ長さがが１００ＭＨｚの電磁波の波長λ3に対してλ3／４となる長さである。
【００１９】
図２に、本実施形態にかかるイヤホンアンテナ１４の機能ブロックを示す。同軸ケーブル２〜５は、レシーバ１の音声信号ライン１５及び１６と、切り替え信号ライン１７〜１９と、ＲＦ信号ライン１０とが外部導体によって覆われた構造である。なお、同軸ケーブル５の外部導体はＧＮＤに接続されている。
【００２０】
各同軸ケーブル間に設置された接続切替部６〜８は、同軸ケーブルの外部導体同士を接続、又は同軸ケーブルの外部導体と内部導体の一つであるＲＦ信号ライン１０とを接続するスイッチ１１〜１３をそれぞれ備える。スイッチ１１〜１３は、携帯型テレビ受信機が備える制御部（図２においては不図示）から出力される切り替え信号１７〜１９に応じて切り替わる。
【００２１】
図３に、本実施形態にかかるイヤホンアンテナの回路構成を示す。同軸ケーブルの内部導体の一つであるＲＦ信号ライン１０は、スイッチ１１〜１３それぞれのＣ端子とコネクタ９とに接続されており、イヤホンアンテナ１４が携帯型テレビ受信機２０にコネクタ９を介して接続されるとＴＶモジュール２２のＲＦ部入力部へ接続される。
【００２２】
切り替え信号ライン１７〜１９は、スイッチ１１〜１３のコントロール端子とコネクタ９とに接続されており、イヤホンアンテナ１４が携帯型テレビ受信機２０にコネクタ９を介して接続されると、制御部２１と接続される。
【００２３】
制御部２１は、受信しているテレビ放送のチャンネルに応じて“Ｈｉ”又は“Ｌｏｗ”レベルの信号を出力する。
【００２４】
音声信号ライン１５及び１６は、レシーバ１とコネクタ９とに接続されており、イヤホンアンテナ１４が携帯型テレビ受信機２０にコネクタ９を介して接続されると、制御部２１へ接続される。
【００２５】
制御部２１は、音声信号ライン１５及び１６を介してレシーバ１に音声信号を出力する。また、制御部２１は、接続切替部６〜８のそれぞれに対して、切り替え制御信号１７〜１９をそれぞれ出力する。さらに、制御部２１は、不図示のユーザインタフェースを介したユーザからの入力操作に応じて、ＴＶモジュール２２を制御して受信チャンネルを変更する。
【００２６】
携帯型テレビ受信機２０の動作について説明する。図４に、携帯型テレビ受信機２０の動作の流れを示す。携帯型テレビ受信機２０の電源がＯＮされると（ステップＳ１０１）、制御部２１は受信チャンネルが１〜３ｃｈのいずれかであるか否かを判断する（ステップＳ１０２）。
受信チャンネルが１〜３ｃｈのいずれかであるならば（ステップＳ１０２／Ｙｅｓ）、制御部２１は、スイッチ１１及び１２のそれぞれのＡ端子とＢ端子とを接続し、スイッチ１３のＡ端子とＣ端子とを接続する（ステップＳ１０３）。以下、Ａ端子とＢ端子とが接続された状態をＡ−Ｂ接続、Ａ端子とＣ端子とが接続された状態をＡ−Ｃ接続という。
【００２７】
スイッチ１１及び１２がＡ−Ｂ接続かつスイッチ１３がＡ−Ｃ接続となると、図５に示すように、イヤホンアンテナ１４においては同軸ケーブル２、３及び４がアンテナエレメントとなり、同軸ケーブル５がＧＮＤに接続された状態となる。この時のアンテナエレメントの長さは、３７．５ｃｍであるから１００ＭＨｚ付近の電磁波を受信するのに良好な特性を持つ。
【００２８】
受信チャンネルが１〜３ｃｈではない場合（ステップＳ１０２／Ｎｏ）、制御部２１は受信チャンネルが４〜１２ｃｈのいずれかであるか否かを判断する（ステップＳ１０４）。
受信チャンネルが４〜１２ｃｈのいずれかであるならば（ステップＳ１０４／Ｙｅｓ）、制御部２１は、スイッチ１１及び１３をＡ−Ｂ接続とし、スイッチ１２をＡ−Ｃ接続とする（ステップＳ１０５）。
【００２９】
スイッチ１１及び１３がＡ−Ｂ接続となり、スイッチ１２がＡ−Ｃ接続となると、図６に示すように、イヤホンアンテナ１４においては、同軸ケーブル２及び３がアンテナエレメントとなり、同軸ケーブル４及び５がＧＮＤに接続された状態となる。この時アンテナエレメントの長さは、３７．５ｃｍであるから２００ＭＨｚ付近の電磁波を受信するのに好適な特性を持つ。
【００３０】
受信チャンネルが１〜３ｃｈのいずれかでも４〜１２ｃｈのいずれかでも無い場合は（ステップＳ１０４／Ｎｏ）、受信チャンネルは１３〜６２ｃｈのいずれかである（ステップＳ１０６）。この場合には、制御部２１は、切り替え信号１７〜１９をスイッチ１１〜１３のそれぞれに出力して、スイッチ１１をＡ−Ｃ接続、スイッチ１２及び１３をＡ−Ｂ接続とする（ステップＳ１０７）。
【００３１】
スイッチ１１がＡ−Ｃ接続となり、スイッチ１２及び１３がＡ−Ｂ接続となると、図７に示すように、イヤホンアンテナ１４においては、同軸ケーブル２がアンテナエレメントとなり、同軸ケーブル３、４及び５がＧＮＤに接続された状態となる。この時アンテナエレメントの長さは、１２．５ｃｍであるから６００ＭＨｚ付近の電磁波を受信するのに好適な特性を持つ。
【００３２】
以上のようにしてアンテナエレメントの長さを変化させた後にテレビ放送を受信する（ステップＳ１０８）。受信チャンネルが変更された場合には（ステップＳ１０９／変更あり）、ステップＳ１０２へ進み、上記同様にしてアンテナエレメントの長さを変更する。これにより、どの周波数帯域に含まれるチャンネルを受信する時でも良好な受信特性が得られる。
【００３３】
このように、本実施形態にかかるイヤホンアンテナは、アナログテレビ放送に用いられる全ての周波数帯域において良好な受信特性を示す。よって、これを備えた携帯型テレビ受信機は、アナログテレビ放送の全てのチャンネルを良好に受信できる。
【００３４】
なお、上記の説明は、アンテナのエレメント長を３段階に切り替える場合について説明したが、所望の利得が得られるのであれば図１１のようにアンテナのエレメント長を二段階に切り替える構成であっても良いし、図１２に示すように３よりも多い段数切り替える構成であっても良い。
【００３５】
〔第２の実施形態〕
本発明を好適に実施した第２の実施形態について説明する。本実施形態にかかるイヤホンアンテナは、第１の実施形態と同様に、レシーバ１とコネクタ９とが、同軸ケーブル２〜５を介して接続された構成である。
図１３に本実施形態にかかるイヤホンアンテナの回路構成を示す。本実施形態においては、イヤホンアンテナ１４は、各同軸ケーブル同士の間に接続切替部６〜８がそれぞれ設けられている。
【００３６】
接続切替部６〜８は、それぞれ同様の構成であるため、接続切替部６についての説明する。接続切替部６は、ＰＩＮダイオード２３及び２５と、コンデンサ２７及び３０と、インダクタ２４、２６及び２８と、インバータ２９とを有する。
【００３７】
コンデンサ２７及び３０は、直流成分をカットするためにＲＦ信号ライン中及び同軸ケーブル２の外部導体と同軸ケーブル３の外部導体との間の配線（以下、外部導体間配線という）中に配置される。ＶＨＦ放送及びＵＨＦ放送を受信するためのアンテナの場合には、テレビ放送波に対してインピーダンスが低くなるように、容量値が１０００ｐＦ程度のものが適用される。
インダクタ２４、２６及び２８は、直流回路である電源供給ライン及びＧＮＤライン４７がハイインピーダンスとなるように、外部導体間配線とＧＮＤライン４７との間、切り替え信号ライン４８と外部導体間配線との間、及び切り替え信号ライン４８とＲＦ信号ライン１０との間にそれぞれ設けられる。ＶＨＦ放送及びＵＨＦ放送を受信するためのアンテナの場合には、テレビ放送波に対してハイインピーダンスとなるように１μＨ程度のものが適用される。ＰＩＮダイオード２３及び２５は、電流が流れるとＯＮとなり、電流が流れないときはＯＦＦとなる。すなわち、ＰＩＮダイオード２３及び２５は、電流が流れている時はショートととして見え、電流が流れていない時はオープンとして見える。インバータ２９は、切り替え信号ライン４８から外部導体間配線へ入力される切り替え信号の信号レベルを反転させる。
【００３８】
例として、ＰＩＮダイオード２３及び２５に、電流が流れているときには１〜３Ω程度の抵抗値となり、電流が流れていないときには容量値が１ｐＦ以下となるものを適用した場合を考える。なお、アンテナの特性インピーダンスは５０Ωとする。
１００ＭＨｚにおける１ｐＦの容量性素子のインピーダンスは、
１／（ωｃ）＝１／（２×π×ｆ×ｃ）＝１／（２×３．１４×１００×１０6×１×１０-12）＝１５９２Ω≒１．６ｋΩ
となり、アンテナの特性インピーダンス５０Ωと比較して非常に大きい値となるため、ＰＩＮダイオード２３や２５は、電気が流れていない時には、１００ＭＨｚの電磁波に対してオープンと見なせる。
また、コンデンサ２７や３０の容量値を１０００ｐＦとすると、１００ＭＨｚにおけるインピーダンスは、アンテナの特性インピーダンスの１／３０程度である１．６Ωとなるため、コンデンサ２７や３０は、１００ＭＨｚの電磁波に対してショートと見なせる。
さらに、インダクタ２４、２６及び２８のインダクタンスを１μＨとすると、１００ＭＨｚにおけるインピーダンスは、
ωＬ＝２×π×ｆ×Ｌ＝２×３．１４×１００×１０6×１×１０-6＝６２８Ω
と、アンテナの特性インピーダンスの１２倍以上となる。よって、インダクタ２４、２６及び２８は、１００ＭＨｚの電磁波に対してオープンと見なせる。
【００３９】
なお、これらの回路素子のインピーダンスには周波数依存性があるが、２００ＭＨｚや６００ＭＨｚの周波数帯域についても上記同様の関係が成り立つ。例えば、ＵＨＦの帯域で最も周波数が高い７７０ＭＨｚの電磁波の場合には、電気が流れていない時のＰＩＮダイオード２３や２５のインピーダンスは２０６Ωとなり、アンテナの特性インピーダンス５０Ωよりも十分大きいため、オープンと見なせる。同様に、コンデンサ２７や３０のインピーダンスは０．２０６Ω、インダクタ２４、２６及び２８のインピーダンスは４８３５．６Ωとなるため、１００ＭＨｚの場合と同様の関係が成り立つ。
【００４０】
切り替え信号ライン４８から入力される切り替え信号がＨｉｇｈの時は、ＰＩＮダイオード２３がオンとなり、ＰＩＮダイオード２５はオフとなる。この時、接続切替部６は、第１の実施形態におけるＡ−Ｃ接続と同様の状態となる。
逆に、切り替え信号ライン４８から入力される切り替え信号がＬｏｗの時は、ＰＩＮダイオード２３がオフとなり、ＰＩＮダイオード２５がオンとなる。この時、接続切替部６は、第１の実施形態におけるＡ−Ｂ接続と同様の状態となる。
【００４１】
接続切替部６〜８は同様の構成であるから、制御部２１が切り替え信号ライン４８〜５０を介してそれぞれに切り替え制御信号を送出することにより、上記第１の実施形態と同様に１００ＭＨｚ、２００ＭＨｚ及び６００ＭＨｚの各周波数帯域のいずれについても良好な受信特性を示すことができる。
【００４２】
このように、本実施形態にかかるイヤホンアンテナは、アナログテレビ放送に用いられる全ての周波数帯域において良好な受信特性を示す。よって、これを備えた携帯型テレビ受信機は、アナログテレビ放送の全てのチャンネルを良好に受信できる。
【００４３】
なお、上記各実施形態は本発明の好適な実施の一例であり、本発明はこれらに限定されることはない。
例えば、上記各実施形態においては、日本国内におけるアナログテレビ放送を受信する装置を例に説明を行ったが、単一のアンテナエレメント長ではカバーしきれない帯域に亘る電磁波を受信するあらゆる装置に適用可能である。すなわち、上記実施形態において例に挙げたＶＨＦ・ＵＨＦ放送に限定されることはないし、また受信対象の電磁波が複数の周波数帯域に分かれて分布している必要もない。
さらに、第１の実施形態においても説明したように、受信対象の周波数帯域において所望の受信特性が得られるのであれば、アンテナエレメント長さは任意の切り替えの段数は任意である。
このように、本発明は様々な変形が可能である。
【図面の簡単な説明】
【００４４】
【図１】本発明を好適に実施した第１の実施形態にかかるイヤホンアンテナの外観を示す図である。
【図２】第１の実施形態にかかるイヤホンアンテナの機能構成を示す図である。
【図３】第１の実施形態にかかるイヤホンアンテナが適用される携帯型テレビ受信機の構成を示す図である。
【図４】第１の実施形態にかかるイヤホンアンテナを適用した携帯型テレビ受信機の動作の流れを示すフローチャートである。
【図５】受信チャンネルが１〜３ｃｈのいずれかに設定されている時のイヤホンアンテナの状態を示す図である。
【図６】受信チャンネルが４〜１２ｃｈのいずれかに設定されている時のイヤホンアンテナの状態を示す図である。
【図７】受信チャンネルが１３〜６２ｃｈのいずれかに設定されている時のイヤホンアンテナの状態を示す図である。
【図８】第１の実施形態にかかるイヤホンアンテナの受信特性を表す図である。
【図９】日本国内におけるアナログテレビ放送に用いられる周波数帯域を示す図である。
【図１０】日本国内におけるアナログテレビ放送に用いられる周波数帯域の中心周波数と波長との関係を示す図である。
【図１１】エレメント長を二段階に切り替える構成のイヤホンアンテナの受信特性を示す図である。
【図１２】エレメント長を四段階に切り替える構成のイヤホンアンテナの受信特性を示す図である。
【図１３】本発明を好適に実施した第２の実施形態にかかるイヤホンアンテナを適用した携帯型テレビ受信機の構成を示す図である。
【符号の説明】
【００４５】
１    レシーバ
２、３、４、５    同軸ケーブル
６、７、８    接続切替部
９    コネクタ
１０    ＲＦ信号ライン
１１、１２、１３    スイッチ
１４    イヤホンアンテナ
１５、１６    音声信号ライン
１７、１８、１９    切り替え制御信号
２０    携帯型テレビ受信機
２１    制御部
２２    テレビモジュール
２３、２５、３１、３３、３９、４１    ＰＩＮダイオード
２４、２６、２８、３２、３４、３６、４０、４２、４４    インダクタ
２７、３０、３５、３７、４３、４６    キャパシタ
２９、３７、４５    インバータ
４７    ＧＮＤライン
４８、４９、５０    切り替え信号ライン
【図１】
2005333459.tif 000003
【図２】
2005333459.tif 000004
【図３】
2005333459.tif 000005
【図４】
2005333459.tif 000006
【図５】
2005333459.tif 000007
【図６】
2005333459.tif 000008
【図７】
2005333459.tif 000009
【図８】
2005333459.tif 000010
【図９】
2005333459.tif 000011
【図１０】
2005333459.tif 000012
【図１１】
2005333459.tif 000013
【図１２】
2005333459.tif 000014
【図１３】
2005333459.tif 000015